(57)【特許請求の範囲】
【請求項１】
乗りかごの出入り口に設けられたかご扉を、その開閉方向に沿ってガイドするかご側の敷居と、
前記乗りかごが着床可能な各階床の、前記乗りかごへの出入り口に設けられた乗り場扉を、その開閉方向に沿ってガイドする乗り場側の敷居と、
前記かご側の敷居と乗り場側の敷居との間に生じる隙間を塞ぐことができる形状を有し、前記隙間を塞いだ塞ぎ位置と退避位置との間を移動可能に構成された塞ぎ部材と、
この塞ぎ部材に連結され、前記かご扉の開動作に伴い、前記塞ぎ部材を退避位置から塞ぎ位置へ移動させ、前記かご扉の閉動作に伴い、前記塞ぎ部材を塞ぎ位置から退避位置へ移動させる駆動機構と、
前記塞ぎ部材と、前記駆動機構側に設けられたブラケットとを連結して、前記塞ぎ部材を前記かご側及び乗り場側の敷居の間隔方向に搖動可能に支持する弾性部材と、
を備えたことを特徴とするエレベータ装置。
【請求項２】
前記弾性部材は板バネ状であり、その縦方向中間部には少なくとも１個の横方向への曲げ部を形成し、縦方向の弾性力を生じさせた請求項１に記載のエレベータ装置。
【請求項３】
前記曲げ部は、断面く字形または半円形である請求項２に記載のエレベータ装置。
【請求項４】
前記板バネ状の弾性部材とブラケットとの結合部には、板バネの湾曲により生じる隙間を覆うカバーを設けた請求項２又は請求項３に記載のエレベータ装置。
【請求項５】
前記塞ぎ部材の上面は、前記乗りかご側及び乗り場側の敷居の上面より下方に位置している請求項１乃至請求項４のいずれか１項に記載のエレベータ装置。
【請求項６】
前記塞ぎ部材の移動を、塞ぎ部材側に設けた当接部材との当接により前記塞ぎ位置及び退避位置にて停止させるストッパーを有する請求項１乃至請求項５のいずれか１項に記載のエレベータ装置。
【請求項７】
前記ストッパーと前記当接部材とのいずれかに緩衝材を設けた請求項６に記載のエレベータ装置。
【請求項８】
前記塞ぎ部材の上部角部は面取りされている請求項１乃至請求項７のいずれか１項に記載のエレベータ装置。
【請求項９】
前記塞ぎ部材の、前記乗り場側の敷居の側面との対向部には、この側面に設けられた下階間空間を仕切るプレート取付け用ビスの頭部を避ける凹部が形成されている請求項１乃至請求項８のいずれか１項に記載のエレベータ装置。
【発明の詳細な説明】
【技術分野】
【０００１】
本発明の実施形態は、乗りかごへの出入り口部に設けられた乗り場側及びかご側の敷居間に生じる隙間の塞ぎ構造を有するエレベータ装置に関する。
【背景技術】
【０００２】
建物の昇降路内に設置された乗りかごが、各階床間を昇降して人員や荷物を運搬するエレベータ装置では、乗りかごを昇降させるために、各階床の乗り場と乗りかごとの間に一定の隙間が設けられている。このため、乗りかごが乗り場に着床停止して出入り口の扉が開いた状態では、乗り場側の敷居とかご側の敷居との間に隙間が生じる。この敷居間の隙間は、人がつまずいたり、或いは車椅子や台車等の車輪が落ち込んで引っ掛かったりする原因となり、危険でもある。また、鍵やカード等の小物品が敷居隙間からピット内に落下し、その回収が困難になる場合がある。
【０００３】
そこで、従来から、敷居間の隙間を塞ぐための塞ぎ部材を設け、扉の開放時に敷居隙間を塞ぐように動作させるものが提案されている（例えば、特許文献１参照）。
【先行技術文献】
【特許文献】
【０００４】
【特許文献１】特開２００９−２８６５０４号公報
【発明の概要】
【発明が解決しようとする課題】
【０００５】
このような扉開時にランニングクリアランスを塞ぐ機構において、クリアランス寸法は必ずしも一定値ではなく各階の据付誤差で異なる。また、かごガイド装置の前後ガタや、乗降時のかご上下ズレでもクリアランス寸法は変動する。このため、従来の塞ぎ部材はこの変動分の隙間を確保して配置する必要があり、適正な寸法形状の塞ぎ部材を適用することができなかった。
【０００６】
本発明は、乗り場側の敷居とかご側の敷居との隙間を塞ぐ塞ぎ部材を、隙間の間隔方向に搖動可能に支持することにより、クリアランス寸法に変動があっても、適切な寸法形状の塞ぎ部材により的確に塞ぐことができるエレベータ装置を提供することにある。
【課題を解決するための手段】
【０００７】
本発明の実施の形態に係るエレベータ装置は、乗りかごの出入り口に設けられたかご扉を、その開閉方向に沿ってガイドするかご側の敷居と、前記乗りかごが着床可能な各階床の、前記乗りかごへの出入り口に設けられた乗り場扉を、その開閉方向に沿ってガイドする乗り場側の敷居と、前記かご側の敷居と乗り場側の敷居との間に生じる隙間を塞ぐことができる形状を有し、前記隙間を塞いだ塞ぎ位置と退避位置との間を移動可能に構成された塞ぎ部材と、この塞ぎ部材に連結され、前記かご扉の開動作に伴い、前記塞ぎ部材を退避位置から塞ぎ位置へ移動させ、前記かご扉の閉動作に伴い、前記塞ぎ部材を塞ぎ位置から退避位置へ移動させる駆動機構と、前記塞ぎ部材と、前記駆動機構側に設けられたブラケットとを連結して、前記塞ぎ部材を前記かご側及び乗り場側の敷居の間隔方向に搖動可能に支持する弾性部材とを備えたことを特徴とする。
【０００８】
上述の構成によれば、扉開時に乗り場側の敷居とかご側の敷居との間に生じる隙間のクリアランス寸法に変動があっても、塞ぎ部材を乗り場側に突出させた塞ぎ位置において隙間の間隔方向に揺動可能とし、弾性部材により乗り場方向に付勢して、かご方向に押されると引っ込み、押す力が除かれると、元の塞ぎ位置に戻る構造としたので、ランニングクリアランスが通常より狭い場合は、かご側に押し戻され、広い場合は塞ぎ位置に突出することで、より密閉度の高い塞ぎ状態を得ることが可能となる。
【図面の簡単な説明】
【０００９】
【図１】本発明の一実施形態に係るエレベータ装置の全体構成を示す図である。
【図２】本発明の一実施形態における乗りかごの扉部分を乗り場側から見た正面図である。
【図３】本発明の一実施形態におけるかご扉側の作動部材と駆動機構との関係を示す斜視図である。
【図４】退避位置にある塞ぎ部材と駆動機構との関係を示す平面図である。
【図５】塞ぎ位置にある塞ぎ部材と駆動機構との関係を示す平面図である。
【図６】塞ぎ位置にある塞ぎ部材とかご側及び乗り場側の敷居との関係を示す側面図である。
【図７】退避位置にある塞ぎ部材とかご側及び乗り場側の敷居との関係を示す側面図である。
【図８】図７から一部部品を除去して、塞ぎ部材の状態を見やすく表示した側面図である。
【図９】ストッパー部分を取り出して示す図である。
【図１０】板バネに設けた曲り部の一例を示す図である。
【図１１】板バネに設けた曲り部の他の例を示す図である。
【図１２】本発明の他の実施形態における乗りかごの扉部分を乗り場側から見た正面図である。
【図１３】本発明の他の実施形態におけるかご扉側の作動部材と駆動機構との関係を示す斜視図である。
【発明を実施するための形態】
【００１０】
以下、本発明の実施の形態について、図面を参照して詳細に説明する。
【００１１】
先ず、図１によりエレベータ装置の全体構成を説明する。図１で示すように、エレベータ装置１は、昇降路３内に配置された乗りかご４および釣合いおもり５を備える。昇降路３の上方には、メインロープ９を駆動する巻上機７及び制御装置８等が設置された機械室６が設けられている。制御装置８は、エレベータ装置１の全体を制御するもので、乗り場呼び又はかご呼びに応じて巻上機７を運転制御し、乗りかご４を呼びのあった階へ着床させる。
【００１２】
なお、機械室６を設けずに巻上機７や制御装置８を小形化して昇降路３内の上部に設けた、所謂機械室レスのエレベータ装置であってもよい。
【００１３】
このエレベータ装置１では、建屋の各階床に設けられた乗り場１１に、昇降路３内の乗りかご４に通じる出入り口１２が設けられ、この出入り口１２には、乗り場扉２が設けられている。この乗り場扉２は、乗りかご４の着床時、乗りかご４の出入り口２４に設けられたかご扉２５側と、図示しないインターロック機構を介して係合し、かご扉２５の開閉に連動して開閉動作する。
【００１４】
図２は乗りかご４の出入り口に設けられたかご扉２５部分を、乗り場１１側から見た正面図である。かご扉２５は２枚の扉パネル２５ａ、２５ｂ（戸当たり部分のみを示し、その他の部分は図示を省略している）を、互いに異なる図示左右方へ開動作させる所謂両開き方式である。これら２枚の扉パネル２５ａ、２５ｂは、乗りかご４の出入り口２４の両側に構成された扉開閉機構に連結しており、この扉開閉機構により図示左右方向に駆動され、開閉動作する。
【００１５】
なお、扉開閉機構は公知のものであり、本願発明とは直接的に関係しないので構造説明は省略するが、図示しないモータの動力により、２枚の扉パネル２５ａ、２５ｂを互いに連動させ、ガイドレールに沿って左右方向に駆動し、開閉動作させるものである。
【００１６】
この乗りかご４の出入り口部分には、かご側の敷居３１が設けられており、上述したかご扉２５を構成する２枚の扉パネル２５ａ、２５ｂを、その開閉方向に沿ってスライド可能にガイドする。このかご側の敷居３１は、乗りかごの出入り口２４の下辺部に設けられており、その上面に形成されガイド溝は、２枚の扉パネル２５ａ、２５ｂの下端部とそれぞれ係合し、これらを開閉方向にガイドする。
【００１７】
このかご側の敷居３１に対し、乗り場１１側にも図６乃至図８で示すように敷居３２が設けられている。この乗り場側の敷居３２は、かご側の敷居３１の一側面（図６乃至図８の左側面)と所定の間隔を保って対向配置される。この乗り場側の敷居３２の上面にもガイド溝が形成されており、図１で示した乗り場扉２を、その開閉方向に沿ってスライド可能にガイドする。
【００１８】
この乗り場扉２も、図示しないが２枚の扉パネルを有する両開き方式のもので、前述のように、乗りかご４が乗り場１１に着床すると、そのかご扉２５と係合し、かご扉２５と共に開閉動作する。すなわち、乗り場扉２は、乗りかご４が着床していないときは、図示しないインターロック機構により２枚の扉パネルが閉状態にロックされており、乗りかご４が着床すると、乗りかご４側の図示しない係合部材と係合して上述したロック状態が解かれ、かご扉２５と共に開閉動作する。
【００１９】
乗りかご４が所定階へ着床したとき、前述のように、かご側の敷居３１と乗り場側の敷居３２との間に、図６乃至図８で示す隙間（ランニングクリアランス）が生じる。本発明の実施形態では、この隙間を塞ぐために塞ぎ部材３５を設ける。
【００２０】
この塞ぎ部材３５は、図２で示すように、左右に分割されている。この分割部分は、乗りかご４の昇降時に、かご側の敷居３１が、乗り場側に設けられた図示しないインターロック機構（具体的には乗りかご側と係合するローラ部分）とすれ違う部分で、インターロック機構の通過を許容するために左右に間隔を保って分割されている。すなわち、万一、塞ぎ部材が塞ぎ位置まで繰り出された状態で乗りかごが昇降しても、乗り場側のインターロック機構は、繰り出された塞ぎ部材３５の分割部分に形成された空間を通過するので、繰り出された塞ぎ部材とインターロック機構とが衝突することはない。
【００２１】
乗り場側の敷居３２には、かご側の敷居３１との対向状態にて、この分割された空間部分内に突出して遊嵌するブロックが設けられている。このブロックは、乗り場側の敷居３２の、かご側の敷居３１と対向し、かつ、塞ぎ部材３５の分割された空間部分との対向部に一体的に設けられている。したがって、乗りかご４が着床して、乗り場側の敷居３２とかご側の敷居３１とが対向すると、乗り場側の敷居３２に設けられたブロックが分割された空間部分内に突出して遊嵌する状態となる。このため、分割部分に生じた空間は、その内部に遊嵌するブロックにより略塞がれた状態となり、この分割部分の空間からの小物類の落下を防止できる。
【００２２】
塞ぎ部材３５の上面は、図６乃至図８で示すように、かご側の敷居３１及び乗り場側の敷居３２の上面より下方に位置している。また、その形状は、敷居３１，３２の隙間を、図６で示すように塞ぐことができる形状寸法に形成されている。すなわち、図２で示したかご側の出入り口２４の間口よりやや大きな長さと、図６乃至図８で示す敷居３１，３２の隙間よりやや大きな幅とからなる。
【００２３】
また、その横断面は縦長の形状とし、乗り場側の敷居３２の図示右側面との対向部には凹部３５ａが形成されている。この凹部３５ａは、乗り場側の敷居３２の図示右側面に設けられたビス３６ａの頭部を避けるために設けられている。ビス３６ａは、下階間空間を仕切るプレート３６の取付け用である。さらに、この塞ぎ部材３５の上部角部には面取り３５ｂが施されている。
【００２４】
なお、この塞ぎ部材３５は金属製或いは樹脂製の何れでもよいが、加工性や他の部品との緩衝性などを考慮すれば樹脂材を用いるとよい。
【００２５】
この塞ぎ部材３５は、図６で示す敷居３１，３２の隙間を塞いだ塞ぎ位置と、図７及び図８で示すかご側の敷居３１の下部に退避した退避位置との間をスライド移動可能に構成されている（図８は退避位置での塞ぎ部材３５の状態を見易くするため、図７から、一部の部品を取り除いて示した図である）。そして、後述する駆動機構４１により、かご扉２５の開閉動作に伴い、上述した塞ぎ位置と退避位置との間でスライド駆動される。
【００２６】
塞ぎ部材３５は、駆動機構４１側に設けられたブラケット５１上に板バネ状の弾性部材（以下、板バネとして説明する）５２を介して取り付けられている。このため塞ぎ部材３５は、板バネ５２により、かご側の敷居３１及び乗り場側の敷居３２の間隔方向（スライド移動方向に対する前後方向でもある）に搖動可能に支持される。このブラケット５１及び板バネ５２も、塞ぎ部材３５と同じ部分で分割されており、塞ぎ部材３５の分割された対応部分をそれぞれ支持している。
【００２７】
駆動機構４１は、かご扉２５の開閉動作に伴い、図３で示すように、かご扉２５側の作動部材４２と係合可能に構成されている。そして、この作動部材４２との係合により作動部材４２から受ける力を塞ぎ部材３５のスライド移動方向に変換して、塞ぎ部材３５をスライド移動方向に駆動する。
【００２８】
この実施の形態では、駆動機構４１は、図４、図５で示すように、４個のリンク４６，４７，４８，４９と、これらリンクの各一端と連結軸５０を介して回動可能に連結しているブラケット５１とを有する。４個のリンク４６，４７，４８，４９は、乗りかご４側に設けられた支持部材４４上に枢支軸４５を介して回動可能に支持されている。
【００２９】
これら４個のリンクのうち内側のリンク４７，４８は連結駆動用のもので、それらの他端は、連結軸５４を介して連結桿５５に連結している。この内側のリンク４７，４８及び連結桿５５は、塞ぎ部材３５と、これに付随するブラケット５１及び板バネ５２の左右に分割された部分とを連動させるもので、これら分割された部分は一体動作する。この連結桿５５の図示右端と支持部材４４との間には引っ張りばね５６が張設されており、駆動機構４１に対して、ブラケット５１を支持部材４４側に平行移動させる方向の力を与える。
【００３０】
この駆動機構４１を構成するリンク４６の枢支軸４５には、レバー５８の基端部が一体的に取り付けられている。このレバー５８の先端部には、作動ピン５９が立設されている。この作動ピン５９の上部側面は、図３で示すように、かご扉２５の扉パネル２５ａ側に一体的に設けられた作動部材４２と係合可能に配置されている。すなわち、作動ピン５９は、かご扉２５が所定の開位置まで開動作することにより作動部材４２と当接係合し、レバー５８及びこれと一体の枢支軸４５を図示反時計回りに回動させる。
【００３１】
この回動により、枢支軸４５と一体のリンク４６、及びブラケット５１を介して連結している他のリンク４７，４８，４９も、引っ張りばね５６の張力に抗して図示反時計回りに回動する。この駆動機構４１の動作により、ブラケット５１及びその上部に板バネ５２を介して支持された塞ぎ部材３５は、図４及び図７、図８で示す退避位置から、図５及び図６で示す塞ぎ位置へ繰り出される。
【００３２】
ここで、前述した引っ張りバネ５６は、駆動機構４１及びブラケット５１などを介して最終的には塞ぎ部材３５と連結している。この引っ張りバネ５６は、駆動機構４１を介して塞ぎ部材３５を図４及び図７、図８で示す退避位置へ戻す方向の力を与えている。したがって、この引っ張りバネ５６は、塞ぎ部材３５を退避位置へ戻す戻りバネとして機能する（以下、戻りばね５６と呼ぶ）、
このように、駆動機構４１は、かご扉２５が所定の開位置まで開動作することで、その作動ピン５９が図３で示すようにかご扉２５側の作動部材４２と係合し、かご扉２５の開方向への移動力を受けて、退避位置にある塞ぎ部材３５を、戻りバネ５６のばね力に抗して塞ぎ位置までスライド移動させる。
【００３３】
塞ぎ部材３５の上述したスライド移動に対しては、これを塞ぎ位置及び退避位置に停止させるストッパー６１を、図６乃至図８で示すように支持部材４４上に設ける。図９は、このストッパー６１部分を取り出して示している。このストッパー６１は、支持部材４４に固定設置されたＵ形部材を有し、その両内側面にゴムなどの緩衝材６２を設け、これらの間に、塞ぎ部材３５側のブラケット５１から延設された断面Ｌ形の当接部材６３を配置したものである。
【００３４】
この構成により、ブラケット５１から延設された当接部材６３が、ストッパー６１のＵ形部材の両内側面に当接することで、塞ぎ部材３５のスライド移動を、塞ぎ位置及び退避位置に正しく停止させることができる。なお、ゴムなどの緩衝材６２は、ストッパー６１と当接部材６３とのいずれか一方又は双方に設けてもよい。
【００３５】
駆動機構４１を構成する枢支軸４５のうち、図２、図３の右端に配置されたレバー５８と一体のものは、レバー５８に立設された作動ピン５９が、かご扉２５側の作動部材４２と当接係合することにより回転する回転軸である。この回転軸には、図６乃至図８で示すようにトーションバネ６５を設け、作動部材４２との係合による回転方向に抗する回転力を与える。
【００３６】
この構成により、作動ピン５９が作動部材４２と係合していない状態において、作動ピンを常に正しい位置に戻すことができる。
【００３７】
上記構成において、かご扉２５が閉じた状態のとき、図３で示したかご扉２５側の作動部材４２は、駆動機構４１側の作動ピン５９には当接係合しておらず、駆動機構４１はかご扉２５側からの作用力を受けていない。このため塞ぎ部材３５及びそれを支持するブラケット５１は、図４で示した戻りばね５６の張力により支持部材４４側に引き戻され、塞ぎ部材３５は図７及び図８で示すように、かご側敷居３１の下部の退避位置にある。
【００３８】
乗りかご４が乗り場に着床して、かご扉２５が開動作し、所定の開位置へ移動すると、扉パネル２５ａ側に設けられた作動部材４２が、駆動機構４１を構成する作動ピン５９に当接係合し、扉パネル２５ａの開動作力により作動ピン５９が設けられたレバー５８を、枢支軸４５を中心に、図示反時計回りに回動させる。
【００３９】
この動作により駆動機構４１が、戻りバネ５６の張力に抗して同方向に回動し、ブラケット５１及びこれに支持されている塞ぎ部材３５を、図４の状態から図５の状態へ繰り出す。したがって、塞ぎ部材３５は図７、図８で示すかご側敷居３１の下部の退避位置から図示左方にスライド移動し、図６、図９で示す塞ぎ位置に達する。そして、この塞ぎ部材３５の前端部（図示左端部）は、乗り場側の敷居３２の図示右側面に当接して、敷居３１，３２間の隙間を塞ぐ。
【００４０】
ここで、敷居３１，３２間の隙間の間隔、すなわち、クリアランス寸法は、前述のように一定値ではなく、各階の据付誤差で異なる。また、かごガイド装置の前後ガタや、乗降時のかご上下ズレでも寸法が変動する。
【００４１】
本発明の実施形態では、塞ぎ部材３５を、板バネ５２を介してブラケット５１に取り付け、スライド移動方向の前後に搖動可能に構成している。すなわち、塞ぎ部材３５は、突出させた位置（塞ぎ位置）において前後に揺動することができる。また、板バネ５２により乗場側（図示左方）付勢されていて、かご方向（図示右方）に押されると引っ込み、押す力が除かれると、元の塞ぎ位置に戻る構造となっている。
【００４２】
この構造により、ランニングクリアランスが通常より狭い場合は、かご側（図示右方）に押し戻され、広い場合は塞ぎ位置に突出することができるので、より密閉度の高い塞ぎ状態を得ることが可能となる。
【００４３】
このように、塞ぎ部材３５は、塞ぎ位置にあるとき、敷居３１，３２間の隙間を塞ぐので小物類がこの隙間からピット内まで落下するようなことはなく、容易に回収可能である。また、塞ぎ部材３５の上面は、敷居３１，３２の上面より下方に位置しているので、敷居３１，３２上に位置する物体の荷重が塞ぎ部材３５に加わることはなく、荷重が加わることによる塞ぎ部材３５の支持部の損傷を防止できる。
【００４４】
この塞ぎ部材３５による隙間の塞ぎ状態において、乗りかご４の荷重が大きく変化すると、乗りかご４が一時的に僅かに上昇することがある。このような乗りかご４の一時的上昇が生じても、塞ぎ部材３５の上部角部に面とり３５ｂが施され、かつ塞ぎ部材３５が板バネ５２で支持されていることから、損傷などの問題は生じない。
【００４５】
例えば、乗りかご４内に満員状態で乗っていた乗客が一度に下りた場合など、乗りかご４は僅かではあるが一時的に上昇する。このとき、図６で示す塞ぎ位置にある塞ぎ部材３５も上昇し、乗り場側の敷居３２の下部側辺部と当接する。しかし、乗り場側の敷居３２の下部側辺部と対向する塞ぎ部材３５の上部角部に面とり３５ｂが施されているため、この部分の当接力は弱められ、当接による損傷を防止できる。また、塞ぎ部材３５が板バネ５２で支持されていることから、上述した当接時、板バネ５２が上下方向にも撓むことから、その緩衝作用により当接による衝撃は弱められ、このことからも当接による損傷を防止できる。
【００４６】
一方、かご扉２５が閉動作し、所定の戸閉位置に移動すると、扉パネル２５ａ側に設けられた作動部材４２は、駆動機構４１を構成する作動ピン５９から離れる。このため、作動ピン５９を介して駆動機構４１に加わっていた力が解除され、駆動機構４１は、戻りバネ５６の張力により、枢支軸４５が図示時計回りに回動し、ブラケット５１及びこれに支持されている塞ぎ部材３５を、図５の状態から図４の状態へ引き戻す。したがって、塞ぎ部材３５は図６で示す塞ぎ位置から図７、図８で示すかご側敷居３１の下部の退避位置まで図示右方にスライド移動する。
【００４７】
このように、塞ぎ部材３５は、かご扉の開方向への移動力を受けて作動するリンク機構により、退避位置から塞ぎ位置までスライド移動し、かご扉の閉動作時は、戻りバネのばね力により塞ぎ位置から退避位置へスライド移動する。このスライド移動は、ストッパー６１により、塞ぎ部材３５を、塞ぎ位置と退避位置の双方に正しく停止させることができる。このため、塞ぎ部材が正規位置に停止せずオーバランし、他の部品と衝突して損傷するようなことは確実に防止できる。また、仮にオーバランが生じても、塞ぎ部材３５は板バネ５２により支持されているため、他の部品との衝突による衝撃を板バネ５２の撓みにより緩衝でき、部品の損傷に至ることを防止できる。
【００４８】
なお、板バネ５２が撓んだ場合、ブラケット５１との接合部に隙間が生じることがあり、この隙間に塵埃などが挟まると元の形状に復帰できなくなることが考えられる。そこで、この隙間が生じる可能性のある部分に予めコーキングや、ガバーの設置などのガードを施しておくとよい。
【００４９】
また、板バネ５２は、前述したように上下方向への撓み機能を有する。このため、上下方向の撓みをより効果的に生じさせるために、板バネ５２の縦方向中間部に、少なくとも１個の横方向への曲げ部を形成し、縦方向のばね力を生じさせてもよい。この曲げ部としては図１０で示すように、板バネ５２を、断面く字形に折り曲げたり、図１１で示すように半円形に湾曲させたりしてもよい。さらに、く字形の折り曲げを上下に複数連続させたり、半円を上下に複数連続させてＳ字形の湾曲を形成してもよい。
【００５０】
このように形成すれば、板バネ５２を、板面と平行な縦方向へも効果的に撓ませることができる。
【００５１】
上述の実施の形態では、駆動機構４１は、図４及び図５で示すように、戻りバネ（引っ張りバネ）５６の張力により、ブラケット５１を支持部材４４側に常時引き戻すように構成していたが、この戻りばね５６に代えて、支持部材４４とリンク４７の右端との間に反発力を生じる作動ばね６６を設け、ブラケット５１を図５の方向に繰り出す力を常時与えるように構成してもよい。すなわち、ブラケット５１及びこのブラケット５１上に板バネ５２を介して支持された塞ぎ部材３５は、駆動機構４１を介して作動バネ６６と連結し、図５及び図６で示す塞ぎ位置への移動力を常時受けることとなる。
【００５２】
この場合、駆動機構４１は、かご扉２５が完全に閉まった図１２で示す戸閉端位置にあるとき、図１３で示すように、作動ピン５９が、扉パネル２５ａ側に設けられた作動部材７２と係合している。このため、駆動機構４１は、作動ばね６６の反発力を蓄勢した図６の状態に保持される。すなわち、塞ぎ部材３５は、図７及び図８で示した退避位置に保持される。
【００５３】
これに対し、かご扉２５が開動作し、扉パネル２５ａが、図１２の戸閉端からの戸開動作を開始すると、かご扉２５側の作動部材７２が、図１３の状態から図示右方に移動するので、この作動部材７２との係合力が解かれることになる。このため、駆動機構４１を構成する各リンク４６，４７，４８，４９は、作動バネ６６の反発力により枢支軸４５を中心に図示反時計回りに回動する。この駆動機構４１の動作により、ブラケット５１及びこのブラケット５１上に板バネ５２を介して支持された塞ぎ部材３５は、図４の状態から図５の状態へ繰り出される。すなわち、塞ぎ部材３５は、図７及び図８で示した退避位置から、図６で示す塞ぎ位置へスライド移動する。
【００５４】
一方、かご扉２５が全開状態から閉じる場合、扉パネル２５ａが戸閉端近くまで閉じることにより、作動部材７２が駆動機構４１側の作動ピン５９と図１３で示すように係合する。このため、作動ピン５９を有するレバー５８は、扉パネル２５ａの閉方向の力により、図示時計方向に駆動される。すなわち、駆動機構４１は扉パネル２５ａの閉方向の力により、ブラケット５１及びこのブラケット５１上に板バネ５２を介して支持された塞ぎ部材３５を、図５の状態から図４の状態へ戻す。すなわち、塞ぎ部材３５は、図６で示す塞ぎ位置から、図７及び図８で示した退避位置へスライド移動する。
【００５５】
このように駆動機構４１は、かご扉２５の戸閉端からの戸開動作開始により、作動部材７２との係合が解除されるため、作動ばね６６の反発力による塞ぎ部材３５の塞ぎ位置へのスライド移動を許容する。また、かご扉２５の戸閉端への移動に伴いかご扉２５側の作動部材７２と係合し、かご扉２５の移動力を受けて、塞ぎ位置にある塞ぎ部材３５を退避位置までスライド移動させる。
【００５６】
すなわち、かご扉２５が開き始めると、塞ぎ部材３５は直ちに塞ぎ位置まで移動する。かご扉２５が閉じる場合は、全閉状態になる直前で塞ぎ部材３５は塞ぎ位置から退避位置に移動する。このため、かご扉２５が開または閉動作途中で乗客や貨物が出入りしても、塞ぎ部材３５は敷居３１，３２間の隙間を塞いだ状態であるので、小物が隙間から落下するようなことを確実に防止できる。
【００５７】
なお、駆動機構４１の、かご扉２５側の作動部材４２、７２との係合部分、すなわち、作動ピン５９が設置された位置は、かご扉２５により開閉される乗りかご４の出入り口２４の間口の外側とする。
【００５８】
上述の実施の形態では、駆動機構４１はいずれも、扉の開閉力を塞ぎ部材３５の移動力に変換して機械的に駆動する構成のものであったが、本発明の駆動機構は、このような機械的な駆動機構に限定されるものではない。例えば、扉が所定の開又は閉位置に達したことを電気的に検出してモータ等のアクチュエータを作動させ、塞ぎ部材を移動させるような駆動機構であってもよい。
【００５９】
また、上記実施の形態では、駆動機構４１はいずれも塞ぎ部材３５を退避位置から塞ぎ位置までスライド移動させている。しかし、本発明は乗場側の敷居とかご側の敷居との隙間を塞ぐ塞ぎ部材を、隙間の間隔方向に搖動可能に支持することにより、クリアランス寸法に変動があっても、適切な寸法形状の塞ぎ部材により的確に塞ぐことを課題としており、このことは、例えば、塞ぎ部材を下方の退避位置から上昇させながら横方向にも移動させて塞ぎ動作させるものにも適用可能である。したがって、駆動機構も塞ぎ部材をスライド移動させるものだけではなく、上下移動と横方向の移動とを組み合わせて移動させるような構成としてもよい。
【００６０】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００６１】
１…エレベータ装置
２…乗り場扉
３…昇降路
４…乗りかご
２５…かご扉
３１…かご側の敷居
３２…乗り場側の敷居
３５…塞ぎ部材
４１…駆動機構
４２，７２…作動部材
５１…ブラケット
５２…弾性部材
５６…戻りバネ
５９…作動ピン
６１…ストッパー
６２…緩衝材
６３…当接部材
６５…トーションバネ
６６…作動バネ
【要約】
【課題】乗り場側の敷居とかご側の敷居との隙間を塞ぐ塞ぎ部材を、隙間の間隔方向に搖動可能に構成することにより、クリアランス寸法に変動があっても、この隙間を、適切な寸法形状の塞ぎ部材により的確に塞ぐことができるエレベータ装置を提供する。
【解決手段】かご側の敷居３１と乗り場側の敷居３２との間に生じる隙間を塞ぐ塞ぎ部材３５を有する。塞ぎ部材３５は、隙間を塞いだ塞ぎ位置と退避位置との間を移動可能に構成される。塞ぎ部材３５は駆動機構４１により、かご扉の開閉動作に連動して駆動される。また、塞ぎ部材３５は、駆動機構４１側に設けられたブラケット５１と弾性部材５２を介して連結しており、かご側の敷居３１及び乗り場側の敷居３２の間隔方向に搖動可能に支持されている。【図１】
0006026624.tif 000002
【図２】
0006026624.tif 000003
【図３】
0006026624.tif 000004
【図４】
0006026624.tif 000005
【図５】
0006026624.tif 000006
【図６】
0006026624.tif 000007
【図７】
0006026624.tif 000008
【図８】
0006026624.tif 000009
【図９】
0006026624.tif 000010
【図１０】
0006026624.tif 000011
【図１１】
0006026624.tif 000012
【図１２】
0006026624.tif 000013
【図１３】
0006026624.tif 000014